【事件の表示】
　商願２０１１−　２１０６８拒絶査定不服審判事件について、次のとおり審決する。
【結　論】
　原査定を取り消す。
　本願商標は、登録すべきものとする。
【理　由】
１　本願商標　
　本願商標は，別掲１のとおりの構成からなり，第４１類及び第４２類に属する願書記載のとおりの役務を指定役務として，平成２３年３月２５日に登録出願されたものである。　
　そして，指定役務については，原審における同年１１月２９日受付の手続補正書により，第４１類「知識又は技芸の教授，シンポジウム・見本市・展示会・会議における栄養学的解決法及び科学に基づく栄養学に関する他人のための教育情報の提供，栄養学的解決法及び科学に基づく栄養学に関する他人のための教育情報の開発及び提供を目的としたシンポジウム・会議の企画・運営又は開催，オンラインによる栄養学に関する電子出版物の提供，オンラインによる栄養学に関する教育情報の提供，オンラインによる栄養学に関する教育又は指導」及び第４２類「医療又は医学に関する研究，医薬品・化粧品又は食品の試験・検査又は研究，機械器具に関する試験・検査又は研究」に補正されたものである。　
　
２　引用商標　
　原査定において，本願の拒絶の理由に引用した登録第４９８３５３６号商標（以下「引用商標」という。）は，別掲２のとおりの構成からなり，平成１７年２月８日に登録出願，第３８類「テレビジョン放送，有線テレビジョン放送，デジタルテレビジョン放送，衛星テレビジョン放送，ラジオ放送，その他の放送」，第４１類「テレビジョン放送・有線テレビジョン放送・デジタルテレビジョン放送・衛星テレビジョン放送・ラジオ放送の番組の制作・配給・上演，有線テレビジョン放送・テレビジョン放送・ラジオ放送及びコンピュータ情報ネットワークを通して提供される連続漫画・ドラマ・アクション・アドベンチャー・アニメーション番組シリーズ及び映画フィルムの制作，その他映画の上映・制作又は配給，オンラインによる映画の上映，電子出版物の提供，図書及び記録の供覧，書籍の制作，映画・演芸・演劇又は音楽の演奏の興行の企画又は運営，演芸の上演，演劇の演出又は上演，音楽の演奏，放送番組の制作，教育・文化・娯楽・スポーツ用ビデオの制作（映画・放送番組・広告用のものを除く。），放送番組の制作における演出，映像機器・音声機器等の機器であって放送番組の制作のために使用されるものの操作，音響用又は映像用のスタジオの提供，娯楽施設の提供，娯楽及びテーマパークの提供，映画・演芸・演劇・音楽又は教育研修のための施設の提供，オンラインデータベースを利用した娯楽に関する情報の提供，映画機械器具の貸与，映写フィルムの貸与，図書の貸与，ウェブサイトにおける書籍・雑誌・新聞の供覧，レコード又は録音済み磁気テープの貸与，録画済み磁気テープの貸与，おもちゃの貸与，遊園地用機械器具の貸与，遊戯用器具の貸与，娯楽情報の提供」及び第４２類「電子計算機のプログラムの設計・作成又は保守，娯楽に関する情報を特徴とするウェブサイトの作成，他のウエブサイトへのオンラインリンクのプログラムの作成，オンラインソフトウエアの一時使用のためのプログラムの作成，電子計算機の貸与，電子計算機用のプログラムの提供，コンピュータネットワークへの多数のユーザーによるアクセスを可能とするコンピュータプログラムの提供」を指定役務として，平成１８年９月１日に設定登録され，現に有効に存続しているものである。
　
３　当審の判断　
　本願商標は，別掲１のとおり，ぎざぎざのある円形状の図形の下部に重なるようにリボンを模した図形を配し，該円形状の図形の縁に沿うように「ＡＮ　ＩＮＴＥＧＲＡＴＥＤ　ＡＰＰＲＯＡＣＨ　ＴＯ　ＰＡＴＩＥＮＴ　ＣＡＲＥ」の文字を，また，その内部中央に大きく「ＴＮＴ」の文字を，該図形の下部に「ＴＯＴＡＬ　ＮＵＴＲＩＴＩＯＮ　ＴＨＥＲＡＰＹ」の文字を表記した構成からなるものである。そして，上記の図形及び文字は，バランスよくまとまっており，外観上一体的に看取されるものである。　
　そして，本願商標は，その構成中，文字の大きさ及び配置された位置から，「ＴＮＴ」及び「ＴＯＴＡＬ　ＮＵＴＲＩＴＩＯＮ　ＴＨＥＲＡＰＹ」の文字部分が，看者の注意を惹き易く，取引に資される識別標識として強く印象されるものである。　
　そうとすれば，本願商標は，これらの構成文字に相応して，「ティエヌティ」，「トータルニュートリションセラピー」及び「ティエヌティトータルニュートリションセラピー」の称呼を生じるものである。　
　また，本願商標の構成中，「完全な栄養療法」程の意味合いを有する「ＴＯＴＡＬ　ＮＵＴＲＩＴＩＯＮ　ＴＨＥＲＡＰＹ」の文字は，それぞれの頭文字「Ｔ」「Ｎ」「Ｔ」が他の文字に比して少し大きく表されていること，欧文字３文字を組み合わせて略称として用いることが一般に行われていることからすれば，円形状の図形の内部に表された「ＴＮＴ」の文字は，「ＴＯＴＡＬ　ＮＵＴＲＩＴＩＯＮ　ＴＨＥＲＡＰＹ」の頭文字を表したものと認識されるというのが相当である。　
　そうすると，本願商標に接する者は，その構成中の「ＴＮＴ」と「ＴＯＴＡＬ　ＮＵＴＲＩＴＩＯＮ　ＴＨＥＲＡＰＹ」の文字部分とを関連付けて理解し，認識するものというべきであるから，これらの文字からは，「完全な栄養療法」程の観念を生じるものである。　
　そして，両文字の関連性からすれば，「ＴＮＴ」の文字部分のみが，本願商標において，出所識別標識としての機能を単独で果たすということもできないものというのが相当である。　
　他方，引用商標は，別掲２のとおり，円の内部中央に大きく「ＴＮＴ」の文字を表記した構成からなるところ，その構成文字に相応して，「ティエヌティ」の称呼を生じ，また，該文字は，特定の意味合いを有しない一種の造語と認められるものであるから，これよりは，特定の観念を生じないものである。　
　そこで，本願商標と引用商標との類否について検討するに，外観においては，本願商標と引用商標の構成は，それぞれ上記のとおりであるから，両商標は，外観上明確に区別できるものである。　
　次に，称呼においては，本願商標から生じる「ティエヌティ」の称呼と引用商標から生じる「ティエヌティ」の称呼とは，その称呼において共通するものである。また，本願商標の「トータルニュートリションセラピー」の称呼と引用商標の「ティエヌティ」の称呼とは，音構成に明らかな相違があるから，両称呼は，明確に区別できるものである。そして，本願商標の「ティエヌティトータルニュートリションセラピー」の称呼と引用商標の「ティエヌティ」の称呼とは，「ティエヌティ」のあとに「トータルニュートリションセラピー」の音の有無という明らかな差異があるから，両称呼は，明確に区別できるものである。　
　また，観念においては，本願商標からは「完全な栄養療法」程の観念を生じるのに対し，引用商標からは特定の観念を生じないものであるから，両商標は，観念上類似するものとはいえないものである。　
　そうとすれば，本願商標と引用商標とは，「ティエヌティ」の称呼を共通にする場合があるとしても，外観において明確に区別でき，観念において類似するものではないことから，両商標の比較において，一の称呼の共通性が他の外観及び観念における差異等を凌駕するものとはいい難く，外観，称呼及び観念を総合的に判断すると，両商標は，役務の出所の誤認，混同を生ずるおそれのないものであり，全体として非類似の商標というのが相当である。　
　以上のとおり，本願商標と引用商標とは，互いに類似しない商標であって，本願商標が商標法第４条第１項第１１号に該当するとして本願を拒絶した原査定は，妥当でなく，取消しを免れない。　
　その他，本願について拒絶の理由を発見しない。　
　よって，結論のとおり審決する。